(57)【特許請求の範囲】
【請求項１】
上端が可動床に連繋されて可動床の昇降時に昇降する上方幕体と、固定床に開口するピット内に起立状態に収装されていながら連れ運動手段を介して上記の上方幕体に連繋する下方幕体とを有してなり、連れ運動手段が下方幕体の下端に一端が連繋されながら他端にカウンターウェイトを有するワイヤーなどの牽引体と、この牽引体の中間部を介装させながら可動床の下方にカウンターウェイトを垂下させるシーブとを有してなることを特徴とする幕板構造。
【請求項２】
可動床が迫り装置における迫り床とされてなる請求項１記載の幕板構造。
【発明の詳細な説明】
【０００１】
【発明の属する技術分野】
この発明は、幕板構造に関し、特に、可動床の下方を外部から遮蔽する幕板構造の改良に関する。
【０００２】
【従来技術とその課題】
たとえば、図５に示すように、迫り装置における迫り床などの可動床１は、固定床Ｆに開口するピットＰ内に配設の昇降機構２で昇降されるが、その上昇時には、図中に破線図で示すように、下方の昇降機構２が外部からの、すなわち、固定床Ｆ上からの視界に入らないように遮蔽されるのが常態である。
【０００３】
このとき、図示しないが、可動床１の上昇ストロークとピットＰの深さとがほぼ一致する場合には、可動床１にあらかじめ幕板を垂設しておけば足りることになる。
【０００４】
しかしながら、図示するように、ピットＰの深さに対して可動床１の上昇ストロークの方が遥かに大きくなる場合には、上記した幕板の垂設では可動床１の下方を全面的に隠蔽し得ない。
【０００５】
そこで、図示しないが、この遮蔽をシート類で実行する、すなわち、ピットＰ内にロール状に巻かれて収納されている、あるいは、折り畳まれて収納されているシート類の上端を可動床１に連結しておき、可動床１の上昇に併せてシート類を上昇させることを提案し得る。
【０００６】
しかしながら、この提案による場合には、シート類によって遮蔽の目的を達成できるが、外観において好ましい状態を演出できない不具合がある。
【０００７】
すなわち、このような遮蔽の目的で利用されるシート類は、ロール状に巻かれたり折り畳まれることからして、多くの場合に、柔軟性に富む態様に形成されている。
【０００８】
それゆえ、この柔軟性に富むシート類を皺が寄らない状態に、すなわち、いわゆるピンとした状態に展張するとしても、このシート類を可動床１に単に垂設するのみでは、充分でないことは経験則の示すところである。
【０００９】
この発明は、上記した事情を鑑みて創案されたものであって、その目的とするところは、所定の遮蔽を実現できるのはもちろんこと、外観を良くし得て、その汎用性の向上を期待するのに最適となる幕板構造を提供することである。
【００１０】
【課題を解決するための手段】
上記した目的を達成するために、この発明による幕板構造の構成を、上端が可動床に連繋されて可動床の昇降時に昇降する上方幕体と、固定床に開口するピット内に起立状態に収装されていながら連れ運動手段を介して上記の上方幕体に連繋する下方幕体とを有してなり、連れ運動手段が下方幕体の下端に一端が連繋されながら他端にカウンターウェイトを有するワイヤーなどの牽引体と、この牽引体の中間部を介装させながら可動床の下方にカウンターウェイトを垂下させるシーブとを有してなるとする。
【００１３】
ちなみに、可動床は、適宜の昇降手段で昇降される舞台床などでも良いが、好ましくは、床迫り装置における迫り床とされる。
【００１４】
【発明の実施の形態】
以下に、図示した実施形態に基づいて、この発明を説明するが、この発明による幕板構造も、図示するところでは、迫り装置に具現化されてなるとし、この迫り装置は、前述したところと同様に、固定床Ｆに開口するピットＰ内に配設の昇降機構（図示せず）で昇降される迫り床たる可動床１を有してなる。
【００１５】
そして、この発明による幕板構造を説明する前に、図１および図２において、本発明の参考例となる幕板構造を説明すると、この幕板構造は、図１に示すように、可動床１に連繋される上方幕体１１と、この上方幕体１１と組合わせになる下方幕体１２とを有してなる。
【００１６】
このとき、この参考例にあって、上方幕体１１および下方幕体１２は、いわゆるパネル構造に形成されてなるとし、少なくとも、固定床Ｆ側に露呈する正面が皺のない平滑面になるとしている。
【００１７】
そして、可能な限りに軽量に形成されるとし、たとえば、所定の機械的強度を有するフレームに薄い板材を展設したり、あるいは、キャンバス類を皺が寄らない状態に展設したりするなどの態様に形成されるのが好ましい。
【００１８】
また、上方幕体１１および下方幕体１２の高さは、ピットＰの深さを超えないのはもちろんだが、図１に示す下方幕体１２の高さがピットＰの深さと同じになる他は、ピットＰの深さにやや足りない長さになるように設定されている。
【００１９】
少し説明すると、上方幕体１１は、図１に示すところでは、上端が可動床１に固定状態に連繋されて、すなわち、一体的に垂設されてなるとし、可動床１の昇降時に昇降するように構成されている。
【００２０】
それに対して、下方幕体１２は、いわゆる最下降時に、下端がピット床に着床した状態にしてピットＰ内に起立状態に収装されているとし、このときには、図示しないが、ピット壁に形成などされた縦方向のガイドレール類に連繋されてなるとしている。
【００２１】
ちなみに、このガイドレール類は、下方幕体１２の昇降時に下方幕体１２が倒れないようにするのはもちろんのこと、下方幕体１２が縦方向となるいわゆる一直線上を昇降し得るようにするために設けられる。
【００２２】
それゆえ、下方幕体１２の倒れを阻止し、下方幕体１２を一直線上で昇降し得るのであれば、上記したガイドレール類を利用することに代えて、同じく図示しないが、他の方策や手段が選択されて良いことはもちろんである。
【００２３】
なお、このガイドレールなどについては、上方幕体１１用として、ピット壁などに別途に設けられていても良いことはもちろんである。
【００２４】
ところで、図１に示すところで、上方幕体１１と下方幕体１２の組合せにあっては、上方幕体１１の下端にブラケット１３が保持されると共に、下方幕体１２の上端にブラケット１４が保持されてなるとしている。
【００２５】
そして、上方幕体１１のブラケット１３における突出部１３ａと下方幕体１２のブラケット１４における突出部１４ａとが対向するとしている。
【００２６】
ちなみに、このブラケット１３，１４は、互いに突出部１３ａ，１４ａを対向させるものであれば足りるから、基本的には、帯状に形成されているのが好ましいが、必ずしも帯状に形成されている必要はなく、図示しないが、たとえば、適宜の間隔で対向する状態に突設される単片の板状体からなるとしても良い。
【００２７】
それゆえ、この参考例では、図２に示すように、可動床１が上昇されて、すなわち、上方幕体１１が上昇されてブラケット１３が下方幕体１２のブラケット１４に係止されることになると、以降は、上方幕体１１の上昇に連れて下方幕体１２が上昇することになる。
【００２８】
その結果、ピットＰの深さよりも大きいストロークで可動床１が上昇する場合にも、可動床１の下方を上方幕体１１と下方幕体１２とで固定床Ｆ側から遮蔽し得ることになり、固定床Ｆ側にいる看る者をして違和感はもちろんのこと不快感をも招来させないことが可能になる。
【００２９】
特に、可動床１が迫り装置における迫り床である場合には、たとえば、この迫り床の下方などに役者が待機している様子を看られることがなく、役者をして、役作りに専心できるなどの利点がある。
【００３０】
そして、図示しないが、可動床１の下降で最上昇状態にある上方幕体１１が下降すると、これに併せて下方幕体１２も下降し、下方幕体１２の下端がピット床に着床すると、以降は、上方幕体１１だけが下降することになる。
【００３１】
ちなみに、下方幕体１２の最上昇位置は、下方幕体１２に連設されたストッパ１５と固定床Ｆ側に連設されたストッパ３との衝突で具現化されるとしても良いが、多くの場合に、可動床１の最上昇位置が決定されることによるであろう。
【００３２】
つぎに、本発明の実施の形態を図３および図４にしたがって説明するが、上方幕体１１および下方幕体１２の基本的構造については前記した参考例と同様の構造を備えており、以下にはその説明を省略する。
上方幕体１１は、前記した図１に示すところと同様に、可動床１に一体的に垂設されてなるとし、可動床１の昇降時に昇降するように構成されている。
【００３３】
それに対して、下方幕体１２は、ピットＰ内に起立状態に収装されていながら連れ運動手段２０を介して上方幕体１１に連繋する組合せとされている。
【００３４】
すなわち、この図３に示すように、下方幕体１２は、前記した図１に示す下方幕体１２とは異なって下端がピット床に着床しておらず、連れ運動手段２０によって、いわゆる浮いた状態に維持されている。
【００３５】
このとき、この下方幕体１２にあっても、図示しないが、前記した参考例の場合と同様に、ピット壁に形成などされたガイドレール類に連繋されてなるとしている。
【００３６】
なお、下方幕体１２の下端がピット床に着床しているか否についてだが、後述する連れ運動手段２０の構成の如何によれば、下方幕体１２の下端がピット床に着床していても良いことはもちろんである。
【００３７】
ところで、連れ運動手段２０は、下方幕体１２の下端に一端が連繋されながら他端にカウンターウェイトＷを有するワイヤーなどの牽引体２１と、この牽引体２１の中間部を介装させながら可動床１の下方にカウンターウェイトＷを垂下させるシーブ２２とを有してなる。
【００３８】
そして、牽引体２１の一端は、下方幕体１２の下端に連設されたブラケット２３に連結されるとし、このとき、このブラケット２３は、上方幕体１１の下端に干渉しないように設定されている。
【００３９】
また、この牽引体２１の長さは、最下降している下方幕体１２に一端が連結されている状態で、シーブ２２を介して他端でカウンターウェイトＷを垂下させるときに、カウンターウェイトＷがピット床に接触しない固定長さになるように設定されている。
【００４０】
そしてまた、カウンターウェイトＷは、少なくとも、下方幕体１２と均衡する重量を有するとしており、シーブ２２は、可動床１と上方幕体１１とのに保持されているブラケット２４に枢支されている。
【００４１】
それゆえ、この図３に示す幕板構造にあっては、可動床１が上昇するときに、上方幕体１１が同時に上昇するのはもちろんであるが、このとき、カウンターウェイトＷが持ち上げられるようになる。
【００４２】
したがって、このカウンターウェイトＷにバランスするように下方幕体１２が上昇することになり、このとき、下方幕体１２の上昇速度は、上方幕体１１の上昇速度よりも遅くなるが、下方幕体１２が連れ運動で上方幕体１１と言わば一緒に上昇することになる。
【００４３】
その結果、この実施形態の場合にも、ピットＰの深さよりも大きいストロークで可動床１が上昇する場合に、可動床１の下方を上方幕体１１と下方幕体１２とで固定床Ｆ側から遮蔽し得ることになり、固定床Ｆ側にいる看る者をして違和感はもちろんのこと不快感も招来させないことが可能になる。
【００４４】
そして、この実施形態の場合にも、下方幕体１２の最上昇位置は、下方幕体１２に連設されたストッパ１５と固定床Ｆ側に連設されたストッパ３との衝突で具現化されるとしても良いが、多くの場合に、可動床１の最上昇位置が決定されることによるであろうし、また、このときには、カウンターウェイトＷがいわゆる吊持状態に維持されているであろう。
【００４５】
また、図示しないが、可動床１の下降で最上昇状態にある上方幕体１１が下降すると、これに併せてカウンターウェイトＷおよび下方幕体１２が下降し、可動床１の下降が終了すると、上方幕体１１の下降が停止されると共に下方幕体１２の下降が停止されることになる。
【００４６】
【発明の効果】
以上のように、請求項１の発明にあっては、可動床の上昇で上方幕体が上昇すると共に、連れ運動手段によって下方幕体も上昇することになり、下方幕体が連れ運動で上方幕体と言わば一緒に上昇し、所定の遮蔽状態を具現化することになる。
【００４９】
そして、最上昇状態にある可動床の下降で上方幕体が下降しだすと、これに連れて下方幕体が下降し、可動床の下降が終了すると、上方幕体の下降が停止されると共に下方幕体の下降が併せて停止されることになる。
【００５０】
さらに、請求項２の発明にあっては、迫り装置における迫り床たる可動床の下方が固定床側から視認されなくなり、迫り床上を看る者をして外観上で不快感を懐かせない利点がある。
【００５１】
その結果、この発明によれば、ピットの深さよりも大きいストロークで可動床が上昇する場合に、可動床の下方を上方幕体と下方幕体とで固定床側から遮蔽し得ることになり、固定床側にいる看る者をして違和感はもちろんのこと不快感をも招来させないことが可能になる。
【図面の簡単な説明】
【図１】  この発明の幕板構造を迫り装置に具現化した状態の参考例を示す部分縦断面図である。
【図２】  図１に示す幕板構造の作動状態を縮尺して示す部分縦断面図である。
【図３】  この発明の実施の形態を示す幕板構造の部分縦断面図である。
【図４】  図３に示す幕板構造の作動状態を縮尺して示す部分縦断面図である。
【図５】  迫り装置に幕板を設ける状態を示す概略縦断面図である。
【図１】
0003926619.tif 000002
【図２】
0003926619.tif 000003
【図３】
0003926619.tif 000004
【図４】
0003926619.tif 000005
【図５】
0003926619.tif 000006